(57)【要約】【課題】オイルパンの側壁面から放出される戻り潤滑油によるエアレーションの発生防止に好適な車両用エンジンのバッフルプレートを提供する。【解決手段】エンジンの潤滑油が供給され且つ戻り潤滑油をリターンパイプ１１Ａを介して潤滑油を貯蔵するオイルパン１に直接戻す外部機器をエンジン本体の外部に備え、オイルパン１内空間とクランクシャフト収容空間との間にバッフルプレート５を備え、前記バッフルプレート５は、前記リターンパイプ１１Ａの出口に対面させて配置した制動部材２０を下部に固定して備え、前記リターンパイプ１１Ａの出口からオイルパン１内に放出された潤滑油を前記制動部材２０に当ててその移動速度を減速若しくは停止させてオイルパン１内潤滑油溜りに落下させるようにした。【選択図】図３
2010001849.tif 000002
【特許請求の範囲】
【請求項１】
エンジンの潤滑油が供給され且つ戻り潤滑油をリターンパイプを介して潤滑油を貯蔵するオイルパンに直接戻す外部機器をエンジン本体の外部に備え、オイルパン内空間とクランクシャフト収容空間との間にバッフルプレートを備える車両用エンジンであり、
前記バッフルプレートは、前記リターンパイプの出口に対面させて配置した制動部材を下部に固定して備え、
前記リターンパイプの出口からオイルパン内に放出された潤滑油を前記制動部材に当ててその移動速度を減速若しくは停止させてオイルパン内潤滑油溜りに落下させることを特徴とする車両用エンジンのバッフルプレート。
【請求項２】
前記貯蔵している潤滑油をストレーナを介して吸込み車両用エンジン内外の各部に供給するオイルポンプを前記オイルパン内空間とクランクシャフト収容空間との間に備え、
前記バッフルプレートは、前記オイルポンプが占める領域に達するよう横方向に延設して、オイルパン内空間とクランクシャフト収容空間とを区画するよう設けられていることを特徴とする請求項１に記載の車両用エンジンのバッフルプレート。
【請求項３】
前記バッフルプレートは、前記リターンパイプが貫通しているオイルパン壁面の上部領域にその一端が固定され、
前記制動部材は、バッフルプレートの固定された一端に近接して配置されていることを特徴とする請求項１または請求項２に記載の車両用エンジンのバッフルプレート。
【請求項４】
前記制動部材は、前記リターンパイプの出口に対面する平面部と、前記平面部に連なりバッフルプレートの下面に沿って延びてバッフルプレートに固定される固定部と、を備えることを特徴とする請求項１から請求項３のいずれか一つに記載の車両用エンジンのバッフルプレート。
【請求項５】
前記制動部材は、前記リターンパイプの出口に対面する平面部と、前記平面部に連なりバッフルプレートの下面に沿って延びてバッフルプレートに固定される固定部と、前記平面部の下端に連なり前記リターンパイプに向かって延びる水平部と、を備えることを特徴とする請求項１から請求項３のいずれか一つに記載の車両用エンジンのバッフルプレート。
【請求項６】
前記制動部材は、前記リターンパイプの出口に対面する平面部と、前記平面部に連なりバッフルプレートの下面に沿って延びてバッフルプレートに固定される固定部と、前記平面部の下端に連なり前記リターンパイプに向かって延びる水平部と、前記平面部の横方向の側縁に連なり前記リターンパイプに向かって延びる側壁部と、を備えることを特徴とする請求項１から請求項３のいずれか一つに記載の車両用エンジンのバッフルプレート。
【請求項７】
前記平面部は、その一部が前記リターンパイプに向かって傾斜状態となる傾斜部に形成され、前記リターンパイプの出口に前記傾斜部が対面していることを特徴とする請求項６に記載の車両用エンジンのバッフルプレート。
【請求項８】
前記外部機器は、潤滑油の温度を調温するオイルクーラであることを特徴とする請求項１から請求項７のいずれか一つに記載の車両用エンジンのバッフルプレート。
【発明の詳細な説明】
【技術分野】
【０００１】
本発明は、車両用エンジン内の各部に供給される潤滑油を貯蔵するオイルパンとクランクシャフトとの間に設けられる車両用エンジンのバッフルプレートに関し、特に、戻り潤滑油によるエアレーション発生防止に好適な車両用エンジンのバッフルプレートに関するものである。
【背景技術】
【０００２】
従来から、エンジン下部のオイルパンに貯蔵された潤滑油は、オイルポンプで汲み上げられてオイルフィルタで濾過浄化され、エンジン内各部に供給され、エンジン内戻り通路を経てオイルパンに戻される一方、オイルポンプから分岐してエンジン本体外の過給器やオイルクーラ等の外部機器に供給された潤滑油は、戻り配管を経て直接オイルパンに戻される(特許文献１〜３参照)。
【０００３】
特許文献１では、エンジン内戻り通路を経てオイルパンに戻される潤滑油を、上端が尖り状に形成された飛散防止用凸部により受止めて、その流れ方向を斜めに変え、跳ね返って飛散させることなくオイルパンに戻すように構成している。
【０００４】
特許文献２では、エンジン本体外のオイルクーラよりの戻り配管をオイルパン壁面に接続して、戻り配管を経由して戻される潤滑油をオイルパン内の潤滑油溜りに放出させるよう構成している。また、特許文献３では、エンジン本体外の過給器よりの戻り配管をオイルパンのバッフルプレートで区画される下方の壁面に接続して、戻り配管を経由して戻される潤滑油をオイルパン内の潤滑油溜りに放出させるよう構成している。
【特許文献１】特開２００５−１４００３９号公報
【特許文献２】特開平８−１６５９２６号公報
【特許文献３】特開平８−２６０９３２号公報
【発明の開示】
【発明が解決しようとする課題】
【０００５】
ところで、特許文献２，３のように、潤滑油をリターンパイプからオイルパン内の潤滑油溜りに放出させる場合に、エンジンの回転数、即ちオイルポンプの回転に伴う供給流量に応じて、潤滑油溜りの液面レベルが変化すると共に、戻される潤滑油量も変化してその放出軌跡も変化する。このため、放出された潤滑油と潤滑油溜りの液面との合流(衝突)位置も変化し、特許文献１のように、潤滑油の流出軌跡が変化しない場合の飛散防止対策を実施できない。具体的には、潤滑油溜りの液面レベルが低い場合(高回転領域)には、戻り潤滑油量も多く、前記合流位置も通常オイルパンの中央領域に配置されているストレーナ吸込み口から離れたオイルパンの周縁領域となり、ストレーナに吸込まれる潤滑油にエアが混入することが緩和される。しかしながら、潤滑油溜りの液面レベルが上昇するに連れて、戻り潤滑油量が減少され、前記合流位置がオイルパンの中央領域に接近されることとなり、ストレーナに吸込まれる潤滑油にエアが混入することを抑制できず、エアレーション発生を防止できないという課題があった。
【０００６】
そこで本発明は、上記問題点に鑑みてなされたもので、オイルパンの側壁面から放出される戻り潤滑油によるエアレーションの発生防止に好適な車両用エンジンのバッフルプレートを提供することを目的とする。
【課題を解決するための手段】
【０００７】
本発明は、エンジンの潤滑油が供給され且つ戻り潤滑油をリターンパイプを介して潤滑油を貯蔵するオイルパンに直接戻す外部機器をエンジン本体の外部に備え、オイルパン内空間とクランクシャフト収容空間との間にバッフルプレートを備え、前記バッフルプレートは、前記リターンパイプの出口に対面させて配置した制動部材を下部に固定して備え、前記リターンパイプの出口からオイルパン内に放出された潤滑油を前記制動部材に当ててその移動速度を減速若しくは停止させてオイルパン内潤滑油溜りに落下させることを特徴とする。
【発明の効果】
【０００８】
したがって、本発明では、バッフルプレートに外部機器よりの戻り潤滑油を貯蔵するオイルパンに直接戻すリターンパイプの出口に対面させて配置した制動部材を下部に固定して設け、前記リターンパイプの出口からオイルパン内に放出された潤滑油を前記制動部材に当ててその移動速度を減速若しくは停止させてオイルパン内潤滑油溜りに落下させるため、潤滑油が勢いよく油溜まりの液面に衝突して、潤滑油溜りを自ら持っている運動エネルギにより攪拌して、潤滑油溜りにエアを混入させて発生するエアレーションを、未然に防止できる。
【発明を実施するための最良の形態】
【０００９】
以下、本発明の車両用エンジンのバッフルプレートを一実施形態に基づいて説明する。
【００１０】
図１〜図６は、本発明を適用した車両用エンジンのバッフルプレートの第１実施例を示し、図１は第１実施例のバッフルプレートを装着したオイルパンの斜視図、図２はオイルパンに戻される潤滑油経路を示す回路図、図３は同じく第１実施例のバッフルプレートを装着したオイルパンの断面図、図４は同じく第１実施例のバッフルプレートの三面図、図５、６は第１実施例のバッフルプレートと戻り管路の関係を説明する平面図及び斜視図である。
【００１１】
図１〜図３において、本実施形態における車両用エンジンのバッフルプレートを装着するオイルパン１は、図示しないシリンダブロックのクランクケースの下端に上面が締結される上部オイルパン１Ａと、上部オイルパン１Ａの下端に締結される板金製の下部オイルパン１Ｂと、により構成されている。以下では、上部オイルパン１Ａと下部オイルパン１Ｂとを合体させたものを、単に「オイルパン１」と称する。
【００１２】
前記上部オイルパン１Ａは、アルミニウム等の軽合金鋳物により枠状に構成され、上部にクランクケースの下端面に締結される枠状フランジ２Ａを、下部に下部オイルパン１Ｂの上端面に締結される枠状フランジ２Ｂを、夫々備え、前記上下の枠状フランジ２Ａ，２Ｂ同士を壁面部２Ｃにより連結して枠状に形成されている。前記壁面部２Ｃには必要に応じて補強用のリブが配置されている。前記上部オイルパン１Ａの車両後方領域の壁面部２Ｃには、車両後方側内面と車両左右側内面とを平面状部材により互いに連結して一体構成した後部バッフルプレート３を備える。前記上部オイルパン１Ａの車両前方領域の壁面部２Ｃは、上下方向に貫通する空間部に構成され、当該空間部の車両前方側には、オイルポンプ４が配置され、当該空間部の車両後方側には、板金により形成されて上部オイルパン１Ａとは別体となった中央部バッフルプレート５が配置されている。
【００１３】
前記オイルポンプ４は、そのハウジング４Ａの車両左右方向が延長されて、その両端が上部オイルパン１Ａの左右壁面部２Ｃに固定される取付ブラケット４Ｂを一体に備える。前記オイルポンプ４の取付ブラケット４Ａの上面は、下方に向かって弧状に窪ませて形成され、図示しないクランク軸(バランスウェイト)やピストンロッドの大径端部との干渉を回避するよう構成され、クランクケース内の空間とオイルパン１内空間とを区画する前部バッファプレートとして機能している。前記オイルポンプ４の吸込み側にはオイルストレーナ６がオイルパン１の空間内の下方に向かって固定配置され、その吸込み口は下部オイルパン１Ｂの底面に臨んでいる。
【００１４】
前記オイルポンプ４は、図示しないクランク軸にチェーン駆動機構を介して回転され、図２に示すように、ストレーナ６を介してオイルパン１内に貯蔵されている潤滑油を吸込み、図示しない吐出口から吐出された潤滑油は、上部オイルパン１Ａに設けた図示しない通路、図示しないクランクケースに設けた通路、オイルフィルタ７Ａを経由させてオイルギャラリ７Ｂに供給するよう構成している。また、オイルポンプ４から吐出された潤滑油の一部は、オイルフィルタ７Ａへの供給通路を分岐させて構成され、オイルフィルタ７Ａへの供給圧力が予め設定した所定値を超えた際に開放するリリーフ弁８を内蔵する分岐通路９Ａ及び分岐管路９Ｂを経由させて、エンジン本体外に配置されたオイルクーラ１０若しくは過給器等の外部機器に供給するようにしている。前記エンジン本体外に配置されたオイルクーラ１０若しくは過給器等の外部機器からの戻り潤滑油は、リターン配管１１を介して上部オイルパン１Ａの左側壁面部２Ｃの略中央位置を貫通させて配置したリターンパイプ１１Ａに戻され、リターンパイプ１１Ａの出口開口からオイルパン１内に放出されるように構成している。
【００１５】
前記第１実施例の中央部バッフルプレート５(以下では、単に「バッフルプレート５」という)は、図４に示すように、比較的薄い金属板をプレス成形したものであり、前記上部オイルパン１Ａの空間部において、オイルポンプ４の後方側の空間部を塞ぐように、配置される。このため、オイルポンプ４に隣接する縁形状は、オイルポンプ４の取付ブラケット４Ｂを含むハウジング４Ａの形状に沿う形状に形成されている。前記バッフルプレート５の両端には取付穴１５が設けられ、上部オイルパン１Ａの上側枠状フランジ２Ａに近接した位置において、図示しないボルトを取付穴１５に貫通させて上部オイルパン１Ａの左右の壁面部２Ｃに固定される。前記バッフルプレート５は、下方に突出した弧状の縦断面を有し、図示しないクランク軸(バランスウェイト)やピストンロッドの大径端部との干渉を回避するよう構成されている。
【００１６】
前記バッフルプレート５の下面には、前記リターンパイプ１１Ａの出口開口と対面するよう位置させて、制動部材２０を溶接等により固定して備える。前記制動部材２０は、前記リターンパイプ１１Ａの出口開口と対面する平面部２１と、平面部２１に連なり前記バッフルプレート５の下面に沿って延びて、バッフルプレート５にスポット溶接などにより固定される溶接固定部２２と、先記平面部２１の側縁と溶接固定部２２の側縁とを連結する補強部２３と、から構成されている。また、制動部材２０の固定位置は、図５，６に示すように、バッフルプレート５の取付穴１５へのボルト貫通による締結時に、取付部での締付け応力が作用しない距離だけ離れた部位であり、且つ最も取付部に近い部位が選定される。
【００１７】
以上の構成の車両用エンジンのバッフルプレートの作用について以下に説明する。
【００１８】
車両用エンジンが始動されるとオイルポンプ４が回転駆動され、ストレーナ６を介して下部オイルパン１Ｂ内に貯蔵されている潤滑油を吸込み、図示しない吐出口から吐出された潤滑油は、上部オイルパン１Ａに設けた図示しない通路、図示しないクランクケースに設けた通路、オイルフィルタ７Ａを経由させてオイルギャラリ７Ｂに供給される。オイルギャラリ７Ｂに供給された潤滑油は、図示しないクランク軸のジャーナルやピストンピンの軸受け部、シリンダヘッドオイルギャラリから各カム潤滑部等に導かれて、各部を潤滑した後に上部オイルパン１Ａ上にドレーンされ、上部オイルパン１Ａに設けた各バッフルプレート(３，４Ｂ，５)同士の隙間を経由して下部オイルパン１Ｂの潤滑油溜りに戻される。
【００１９】
上部オイルパン１Ａに設けられている後部バッフルプレート３、中央部バッフルプレート５、及び、ポンプハウジング４Ａに一体形成されている取付ブラケット４Ｂは、オイルパン１内空間とクランク軸が回転しているクランクケース内空間とを区画して、クランク軸の回転風がオイルパン１内空間に流入することを抑制し、オイルパン１内の潤滑油が回転風により巻上げられるのを抑制する。
【００２０】
一方、オイルポンプ４から吐出された潤滑油の一部は、オイルフィルタ７Ａへの供給通路を分岐させて構成され、オイルフィルタ７Ａへの供給圧力が予め設定した所定値を超えた際に開放するリリーフ弁８を内蔵する分岐通路９Ａ及び分岐管路９Ｂを経由して、エンジン本体外に配置されたオイルクーラ１０若しくは過給器等の外部機器に供給される。そして、エンジン本体外に配置されたオイルクーラ１０若しくは過給器等の外部機器からの戻り潤滑油は、リターン配管１１を介して上部オイルパン１Ａの左側壁面部２Ｃの中央位置を貫通させて配置したリターンパイプ１１Ａに戻され、リターンパイプ１１Ａの出口開口からオイルパン１内に放出される。
【００２１】
図９に示す比較例は、リターンパイプ１１Ａから放出された潤滑油が、その運動エネルギにより放物線を伴ってオイルパン１内の潤滑油溜りの液面に自由落下させるようにしたものである。この場合においては、潤滑油溜りの液面が、図示したＡレベルにある場合には下部オイルパン１Ｂの、中央部に配置されているストレーナ６から離れた周縁領域に前記放出された潤滑油が勢いよく油溜まりの液面に衝突するため、周辺の空気を巻込むエアレーションが発生しつつ潤滑油溜りが放出された潤滑油の運動エネルギにより攪拌される。しかし、前記合流部位がストレーナ６から離れた周縁領域であるため、ストレーナ６へ吸込まれる潤滑油に空気が混入されることを比較的少なくできる。しかしながら、潤滑油溜りの液面が、図示したＢレベル以上のＣレベル、Ｄレベルと上昇するに連れて、前記衝突部位がストレーナ６に接近していくため、周辺の空気を巻込むエアレーションが発生しつつ潤滑油溜りが攪拌されて、気泡が含まれる潤滑油のストレーナ６への吸込みを抑制できない。
【００２２】
本実施例のバッフルプレート５においては、前記リターンパイプ１１Ａから放出された潤滑油は、前記制動部材２０の平面部２１に衝突して、その運動エネルギを消費させる。そして、制動部材２０に衝突して運動エネルギを失った潤滑油は、下部オイルパン１Ｂの潤滑油溜りに順次落下する。このため、潤滑油が勢いよく油溜まりの液面に衝突して、潤滑油溜りを自ら持っている運動エネルギにより攪拌して、潤滑油溜りにエアを混入させて発生するエアレーションを、未然に防止できる。
【００２３】
また、前記制動部材２０は、バッフルプレート５に溶接などにより固定されるものであるため、例えば、上部オイルパン１Ａの壁面部２Ｃの形状を変更して制動部材２０を一体的に設ける場合に比較して、オイルパン１内空間のレイアウトを制約することがない。
【００２４】
また、制動部材２０の固定位置が、バッフルプレート５の取付穴１５へのボルト貫通による締結時に、取付部での締付け応力が作用しない距離だけ離れた部位であり、且つ最も取付部に近い部位に選定されている。このため、制動部材２０がバッフルプレート５の振動系のマス(質量)とならずバネ剛性を高める働きを持つため、バッフルプレート５の固有振動値を上昇させ、共振による破損を防止する。図７は本実施形態におけるバッフルプレート５の振動加速度の周波数(エンジン回転数相当)特性を示したものである(なお、制動部材２０を持たないバッフルプレート５の振動加速度の周波数特性を比較例として破線で示す)。図７によれば、比較例に比較してその固有振動値が(エンジン回転数７０００ｒｐｍ相当以上に)上昇し、比較例のバッフルプレート５の振動加速度に比較して実用域(Ｆ点)において充分な余裕(振動加速度を１／１００程度に低減)ができるため、バッフルプレート５の剛性上昇のために実施される周縁の折り返し等を廃止することができ、バッフルプレート５自体をコストダウンできる効果がある。
【００２５】
また、前記バッフルプレート５のオイルポンプ４に隣接する縁形状が、オイルポンプ４の取付ブラケット４Ｂを含むハウジング４Ａの形状に沿う形状に形成されていることにより、オイルポンプ４側に膨らんだ部分により曲げ剛性が向上し、この点でもバッフルプレート５の固有振動値を上昇させる機能を発揮する。
【００２６】
また、制動部材２０がバッフルプレート５の振動系のマスとならずバネ剛性を高める働きを持つため、図８に示すように、バッフルプレート５自体の振動幅(変位)も抑制することができる。即ち、図８（Ａ）は制動部材２０を備える本実施形態のバッフルプレート５の振動形態を、また、図８（Ｂ）は制動部材２０を備えない比較例のバッフルプレートの振動形態を、夫々示している。図８（Ｂ）に示す比較例では、その最大振動幅(変位)が大きい(数値１０)であるのに対し、図８（Ａ）に示す本実施形態では、その最大振動幅(変位)が抑えられた(数値７)に抑制される。
【００２７】
また、制動部材２０とバッフルプレート５とはスポット溶接等により部分的に接合されているため、接合部位周辺領域はフリクション伴う接触となり、バッフルプレート５と制動部材２０とはフリクションにより、バッフルプレート５の振動が抑制される。
【００２８】
図１０は本実施形態の第２実施例のバッフルプレート５の構成を示す。本実施例のバッフルプレート５においては、第１実施例と同様なバッフルプレート５における制動部材２０の下方へ突出する平面部２１の先端に連ねて、前記リターンパイプ１１Ａに向かう水平部２４を設けるようにしたものである。
【００２９】
本実施例のバッフルプレート５においては、平面部２１の下方に水平部２４を連ねて備えるため、リターンパイプ１１Ａより放出された潤滑油が、先ず平面部２１に衝突して運動エネルギが消費された後に、下方に落下されることなく水平部２４により水平方向に拡散された状態で落下される。このため、オイルパン１の潤滑油溜りに広く分散されて落下し、潤滑油溜りを攪拌することがより抑制される。このため、空気を巻込むエアレーションをより一層防止できる。
【００３０】
図１１及び図１２に示す第３実施例のバッフルプレート５においては、第１実施例と同様なバッフルプレート５における制動部材２０の下方へ突出する平面部２１の先端および側縁に連ねて、前記リターンパイプ１１Ａに向かう水平部２４および側壁部２５を設けるようにしたものである。また、前記平面部２１の一部を前記リターンパイプ１１Ａに向かって傾斜状態となる傾斜部２６とし、リターンパイプ１１Ａより放出される潤滑油が前記傾斜部２６に衝突するよう構成している。
【００３１】
従って、本実施例のバッフルプレート５においては、平面部２１の傾斜部２６にリターンパイプ１１Ａより放出された潤滑油が衝突することにより、傾斜部２６に沿って周囲に拡がり流れ、下部の水平部２４及び側壁部２５に沿って飛散されて、オイルパン１の潤滑油溜りに落下される。特に、潤滑油の主流は、図中の矢印に示すように、潤滑油の流れ方向が横方向に変換されつつ拡散されて平面部２１に向かって流れ、平面部２１から下部の水平部２４及び側壁部２５に沿って飛散されて、オイルパン１の潤滑油溜りに落下される。このため、オイルパン１の潤滑油溜りに広く分散されて落下し、潤滑油溜りを攪拌することがより一層抑制される。このため、空気を巻込むエアレーションをより一層防止できる。
【００３２】
本実施形態においては、以下に記載する効果を奏することができる。
【００３３】
（ア）エンジンの潤滑油が供給され且つ戻り潤滑油をリターンパイプ１１Ａを介して潤滑油を貯蔵するオイルパン１に直接戻す外部機器をエンジン本体の外部に備え、オイルパン１内空間とクランクシャフト収容空間との間にバッフルプレート５を備え、前記バッフルプレート５は、前記リターンパイプ１１Ａの出口に対面させて配置した制動部材２０を下部に固定して備え、前記リターンパイプ１１Ａの出口からオイルパン１内に放出された潤滑油を前記制動部材２０に当ててその移動速度を減速若しくは停止させてオイルパン１内潤滑油溜りに落下させることを特徴とする。このため、潤滑油が勢いよく油溜まりの液面に衝突して、潤滑油溜りを自ら持っている運動エネルギにより攪拌して、潤滑油溜りにエアを混入させて発生するエアレーションを、未然に防止できる。
【００３４】
また、制動部材２０は、バッフルプレート５に溶接などにより固定されるものであるため、例えば、上部オイルパン１Ａの壁面部２Ｃの形状を変更して制動部材２０を一体的に設ける場合に比較して、オイルパン１内空間のレイアウトを制約することがない。
【００３５】
(イ)前記貯蔵している潤滑油をストレーナ６を介して吸込み車両用エンジン内外の各部に供給するオイルポンプ４を前記オイルパン１内空間とクランクシャフト収容空間との間に備え、前記バッフルプレート５は、前記オイルポンプ４が占める領域に達するよう横方向に延設して、オイルパン１内空間とクランクシャフト収容空間とを区画するよう設けられているため、オイルポンプ４側に膨らんだ部分の曲げ剛性が向上し、この点でもバッフルプレート５の固有振動値を上昇させる機能を発揮する。
【００３６】
(ウ)バッフルプレート５は、前記リターンパイプ１１Ａが貫通しているオイルパン１壁面の上部領域にその一端が固定され、前記制動部材２０は、バッフルプレート５の固定された一端に近接して配置されているため、制動部材２０がバッフルプレート５振動系のマスとならずバネ剛性を高める働きを持つため、バッフルプレート５の固有振動値を上昇させ、共振による破損を防止する。
【００３７】
(エ)第１実施例の制動部材２０は、前記リターンパイプ１１Ａの出口に対面する平面部２１と、前記平面部２１に連なりバッフルプレート５の下面に沿って延びてバッフルプレート５に固定される固定部２２と、を備えるため、最小の部品構成で上記した(ア)〜(ウ)の効果を発揮させることができる。
【００３８】
(オ)第２実施例の制動部材２０は、前記リターンパイプ１１Ａの出口に対面する平面部２１と、前記平面部２１に連なりバッフルプレート５の下面に沿って延びてバッフルプレート５に固定される固定部２２と、前記平面部２１の下端に連なり前記リターンパイプ１１Ａに向かって延びる水平部２４と、を備えるため、下方に直接落下されることなく水平部２４により水平方向に拡散された状態で落下される。このため、オイルパン１の潤滑油溜りに広く分散されて落下し、潤滑油溜りを攪拌することがより抑制される。このため、空気を巻込むエアレーションをより一層防止できる。
【００３９】
(カ)第３実施例の制動部材２０は、前記リターンパイプ１１Ａの出口に対面する平面部２１と、前記平面部２１に連なりバッフルプレート５の下面に沿って延びてバッフルプレート５に固定される固定部２２と、前記平面部２１の下端に連なり前記リターンパイプ１１Ａに向かって延びる水平部２４と、前記平面部２１の横方向の側縁に連なり前記リターンパイプ１１Ａに向かって延びる側壁部２５と、を備えるため、下部の水平部２４及び側壁部２５に沿って飛散されて、オイルパン１の潤滑油溜りに落下される。従って、潤滑油を更に拡散させて落下させることができ、空気を巻込むエアレーションを更により一層防止できる。
【００４０】
(キ)第３実施例の制動部材２０の平面部２１は、その一部が前記リターンパイプ１１Ａに向かって傾斜状態となる傾斜部２６に形成され、前記リターンパイプ１１Ａの出口に前記傾斜部２６が対面しているため、潤滑油の主流は、潤滑油の流れ方向が横方向に変換されつつ拡散されて平面部２１に向かって流れ、平面部２１から下部の水平部２４及び側壁部２５に沿って飛散されて、オイルパン１の潤滑油溜りに落下される。このため、オイルパン１の潤滑油溜りに広く分散されて落下し、空気を巻込むエアレーションをより確実に防止できる。
【図面の簡単な説明】
【００４１】
【図１】本発明の一実施形態を示す車両用エンジンのバッフルプレートを装着したオイルパンの斜視図。
【図２】同じくオイルパンに戻される潤滑油経路を示す回路図。
【図３】同じく第１実施例のバッフルプレートを装着したオイルパンの断面図。
【図４】同じく第１実施例のバッフルプレートの三面図。
【図５】第１実施例のバッフルプレートと戻り管路の関係を説明する平面図。
【図６】第１実施例のバッフルプレートと戻り管路の関係を説明する斜視図。
【図７】バッフルプレートの振動加速度の周波数特性を示した特性図。
【図８】制動部材を備える本実施形態のバッフルプレートの振動形態(Ａ）と制動部材を備えない比較例のバッフルプレートの振動形態（Ｂ）を示す説明図。
【図９】リターンパイプから放出された潤滑油が、その運動エネルギにより放物線を伴ってオイルパン内の潤滑油溜りの液面に自由落下させる比較例を説明する説明図。
【図１０】第２実施例のバッフルプレートの三面図。
【図１１】第３実施例のバッフルプレートの三面図。
【図１２】第３実施例のバッフルプレートの斜視図。
【符号の説明】
【００４２】
１  オイルパン
１Ａ  上部オイルパン
１Ｂ  下部オイルパン
３  後部バッフルプレート
４  オイルポンプ
５  バッフルプレート、中央部バッフルプレート
６  ストレーナ、オイルストレーナ
７Ａ  オイルフィルタ
７Ｂ  オイルギャラリ
８  リリーフバルブ
１０  外部機器としてのオイルクーラ
１１Ａ  リターンパイプ
２０  制動部材
２１  平面部
２２  固定部
２４  水平部
２５  側壁部
２６  傾斜部
【図１】
2010001849.tif 000003
【図２】
2010001849.tif 000004
【図３】
2010001849.tif 000005
【図４】
2010001849.tif 000006
【図５】
2010001849.tif 000007
【図６】
2010001849.tif 000008
【図７】
2010001849.tif 000009
【図８】
2010001849.tif 000010
【図９】
2010001849.tif 000011
【図１０】
2010001849.tif 000012
【図１１】
2010001849.tif 000013
【図１２】
2010001849.tif 000014